(57)【要約】【課題】温かいミストを速やかに使用者の目元に供給できる目元用美容装置を提供する。【解決手段】目元用美容装置１は、凹部１１が形成されるハウジング１０と、ハウジング１０の内部に配置されるヒーター５１と、液体を保持できるように形成され、ヒーター５１により温められる液体保持部材４０とを備える。また、この液体保持部材４０は、凹部１１の側面に取り付けられる。このため、液体保持部材４０が凹部１１の底面に取り付けられる構成よりも、液体保持部材４０と使用者の目元との距離が近い。このため、液体保持部材４０が保持している水から発生する温かいミストにより使用者が温かさを感じやすい。すなわち、温かいミストが速やかに使用者の目元に供給される。このため、目元を保湿する効果および目元を温める効果が高められる。【選択図】図８
2015216974.tif 000002
【特許請求の範囲】
【請求項１】
凹部が形成されるハウジングと、
前記ハウジングの内部に配置されるヒーターと、
液体を保持できるように形成され、前記ヒーターにより温められる液体保持部材と
を備え、
前記液体保持部材が前記凹部の側面に取り付けられる
目元用美容装置。
【請求項２】
前記液体保持部材が前記凹部の側面のうちの下方の面に取り付けられる
請求項１に記載の目元用美容装置。
【請求項３】
前記ヒーターにより温められる肌接触面が前記ハウジングのうちの前記凹部の下部に形成される
請求項２に記載の目元用美容装置。
【請求項４】
前記凹部の側面のうちの下方の面の裏側に前記ヒーターが配置される
請求項３に記載の目元用美容装置。
【請求項５】
前記凹部の１つである右側の凹部、前記凹部の別の１つである左側の凹部、および、前記右側の凹部と前記左側の凹部とを区画する区画壁が前記ハウジングに形成される
請求項１〜４のいずれか一項に記載の目元用美容装置。
【請求項６】
前記凹部のうちの前記液体保持部材が取り付けられていない面に熱を反射する反射材が取り付けられる
請求項１〜５のいずれか一項に記載の目元用美容装置。
【請求項７】
前記反射材が前記凹部の側面のうちの上方の面に取り付けられる
請求項２を直接的または間接的に引用する請求項６に記載の目元用美容装置。
【発明の詳細な説明】
【技術分野】
【０００１】
本発明は、使用者の目元を保湿する目元用美容装置に関する。
【背景技術】
【０００２】
従来の目元用美容装置は、温かいミストを発生させることにより、目元を保湿する効果および目元を温める効果等を使用者に提供する。特許文献１の目元用美容装置はその一例であり、凹部が形成されているハウジング、ハウジングの内部に配置されているヒーター、および、液体を保持できるように形成され、ヒーターにより温められる液体保持部材を備えている。この液体保持部材は、ハウジングの凹部の底面に取り付けられる。
【０００３】
この目元用美容装置の使用者は、凹部の開口を目元に配置して目元を覆うように装着し、顔を正面に向けて、または、顔を仰向けにして使用する。そして、ヒーターが液体を保持している液体保持部材を温めることにより温かいミストを発生させ、そのミストが凹部の空間を浮遊することにより使用者の目元に供給される。このため、目元を保湿する効果および目元を温める効果等が使用者に提供される。
【先行技術文献】
【特許文献】
【０００４】
【特許文献１】特開２０１３−１２３５３３号公報
【発明の概要】
【発明が解決しようとする課題】
【０００５】
特許文献１の目元用美容装置によれば、使用者がこの装置を駆動してから目元に温かさを感じるまでに時間がかかることがある。すなわち、温かいミストが使用者の目元に供給されにくい。このため、使用者が目元を保湿する効果および目元を温める効果を得るまでに時間がかかるおそれがある。
【０００６】
本発明の目的は、温かいミストを速やかに使用者の目元に供給できる目元用美容装置を提供することである。
【課題を解決するための手段】
【０００７】
目元用美容装置の一形態によれば、凹部が形成されるハウジングと、前記ハウジングの内部に配置されるヒーターと、液体を保持できるように形成され、前記ヒーターにより温められる液体保持部材とを備え、前記液体保持部材が前記凹部の側面に取り付けられる。
【０００８】
上記目元用美容装置によれば、液体保持部材が凹部の底面に取り付けられる構成よりも、液体保持部材と使用者の目元との距離が近い。このため、液体保持部材の液体から発生する温かいミストにより使用者が温かさを感じやすい。すなわち、温かいミストが速やかに使用者の目元に供給される。このため、目元を保湿する効果および目元を温める効果が高められる。
【発明の効果】
【０００９】
目元用美容装置の一形態によれば、温かいミストを速やかに使用者の目元に供給することができる。
【図面の簡単な説明】
【００１０】
【図１】実施の形態の目元用美容装置に関する正面側の斜視図。
【図２】実施の形態の目元用美容装置の平面図。
【図３】実施の形態の目元用美容装置の正面図。
【図４】実施の形態の目元用美容装置の背面図。
【図５】実施の形態の目元用美容装置の分解斜視図。
【図６】実施の形態の目元用美容装置に関する背面側の斜視図。
【図７】実施の形態の目元用美容装置の内部構造を示す背面図。
【図８】図７のＺ８−Ｚ８線に沿う断面図。
【図９】図７のＺ９−Ｚ９線に沿う断面図。
【図１０】実施の形態の目元用美容装置に関する底面側の斜視図。
【図１１】実施の形態の目元用美容装置に関する背面側の斜視図。
【図１２】実施の形態のヒーターブロックの斜視図。
【図１３】実施の形態のヒーターブロックの分解斜視図。
【図１４】ヒーターの温度と使用時間との関係を示すグラフ。
【図１５】変形例の目元用美容装置の背面図。
【図１６】図１５のＺ１６−Ｚ１６線に沿う断面図。
【発明を実施するための形態】
【００１１】
（目元用美容装置が取り得る形態の一例）
〔１〕目元用美容装置の一形態によれば、凹部が形成されるハウジングと、前記ハウジングの内部に配置されるヒーターと、液体を保持できるように形成され、前記ヒーターにより温められる液体保持部材とを備え、前記液体保持部材が前記凹部の側面に取り付けられる。
【００１２】
上記目元用美容装置によれば、液体保持部材が凹部の底面に取り付けられる構成よりも、液体保持部材と使用者の目元との距離が近い。このため、液体保持部材の液体から発生する温かいミストにより使用者が温かさを感じやすい。すなわち、温かいミストが速やかに使用者の目元に供給される。このため、目元を保湿する効果および目元を温める効果が高められる。
【００１３】
〔２〕前記目元用美容装置の一形態によれば、前記液体保持部材が前記凹部の側面のうちの下方の面に取り付けられる。
使用者が顔を正面に向けて上記目元用美容装置を使用する場合、発生した温かいミストが上昇しやすいことにより使用者の目元に温かいミストが供給されやすい。このため、温かいミストが一層速やかに使用者の目元に供給される。このため、目元を保湿する効果および目元を温める効果が一層高められる。
【００１４】
〔３〕前記目元用美容装置の一形態によれば、前記ヒーターにより温められる肌接触面が前記ハウジングのうちの前記凹部の下部に形成される。
上記目元用美容装置によれば、肌接触面が使用者の眼の下方の肌と接触する。このため、温かいミストにより目元を温める効果に加えて、肌接触面により眼の下方の肌が温められる。このため、使用者が温かさを一層感じやすくなる。
【００１５】
〔４〕前記目元用美容装置の一形態によれば、前記凹部の側面のうちの下方の面の裏側に前記ヒーターが配置される。
上記目元用美容装置によれば、液体保持部材とヒーターとの距離が近い。このため、ヒーターの熱が液体保持部材に伝達されやすくなる。このため、液体保持部材が保持している液体から温かいミストが発生しやすくなる。このため、目元を保湿する効果および目元を温める効果が一層高められる。また、上記目元用美容装置によれば、液体保持部材と肌接触面との距離が近い。このため、ヒーターの熱が液体保持部材および肌接触面のそれぞれに伝達されやすくなる。このため、ヒーターの熱の伝達効率が向上する。
【００１６】
〔５〕前記目元用美容装置の一形態によれば、前記凹部の１つである右側の凹部、前記凹部の別の１つである左側の凹部、および、前記右側の凹部と前記左側の凹部とを区画する区画壁が前記ハウジングに形成される。
【００１７】
上記目元用美容装置によれば、区画壁が形成されていない構成の凹部の空間の容積と比較して、右側の凹部の空間と左側の凹部の空間とを合わせた容積が小さくなる。このため、温かいミストが速やかに凹部の空間に充満しやすくなる。このため、目元の保湿効果および目元を温める効果が一層高められる。
【００１８】
〔６〕前記目元用美容装置の一形態によれば、前記凹部のうちの前記液体保持部材が取り付けられていない面に熱を反射する反射材が取り付けられる。
上記目元用美容装置によれば、反射材がヒーターの熱を反射する。このため、凹部に反射材が取り付けられていない構成よりも凹部の空間が温まりやすい。このため、目元を温める効果が高められる。
【００１９】
〔７〕前記目元用美容装置の一形態によれば、前記反射材が前記凹部の側面のうちの上方の面に取り付けられる。
ヒーターの熱は、液体保持部材が取り付けられる凹部の側面のうちの下方の面から凹部の空間に伝達され、凹部の側面のうちの上方の面に伝達されやすい。上記目元用美容装置によれば、凹部のうちのヒーターの熱が伝達されやすい面に反射材が取り付けられている。このため、反射材がより多くの熱を反射することにより、凹部の空間が一層温まりやすい。このため、目元を温める効果が一層高められる。
【００２０】
（実施の形態）
図１〜図４を参照して、目元用美容装置１の外観構成について説明する。
図１に示すように、目元用美容装置１は、凹部１１（図４参照）が形成されているハウジング１０、ハウジング１０に取り付けられているパッド２０、および、ハウジング１０を覆うように取り付けられているカバー３０を備える。目元用美容装置１は、一例として、ゴーグルのような形状である。この目元用美容装置１は、例えば、ハウジング１０の長手方向の両側に取り付けられる装着バンド１００を後頭部にかけ、パッド２０を目元にフィットさせて使用者の目元を覆うように装着される。
【００２１】
図２に示すように、ハウジング１０、パッド２０、および、カバー３０のそれぞれの上面の形状は、三日月状である。ハウジング１０の上面は、目元用美容装置１を操作するためのスイッチ７０がハウジング１０の上面から突出しないように形成され、そのスイッチ７０により操作される操作内容が表示される。
【００２２】
パッド２０は、ハウジング１０の右側に取り付けられている右側のパッド２０、および、ハウジング１０の左側に取り付けられている左側のパッド２０を含む。カバー３０の上面は、有色透明な合成樹脂により形成されている。図３に示すように、カバー３０は、カバー３０の長手方向の中心線に対して線対称の関係である。
【００２３】
図４に示すように、ハウジング１０には、凹部１１を右側の凹部１１および左側の凹部１１に区画する区画壁１２、および、各凹部１１の下部に配置され、凹部１１の開口側に向かって凸となる曲面である肌接触面１３が形成されている。また、ハウジング１０には、ハウジング１０の長手方向において肌接触面１３よりも内側に配置される鼻充て部１４がさらに形成されている。右側の凹部１１は、内面により取り囲まれる空間Ｒを形成している。左側の凹部１１は、内面により取り囲まれる空間Ｌを形成している。また、凹部１１の側面のうちの下方の面には、液体を保持する液体保持部材４０が着脱できるように支持される。
【００２４】
右側のパッド２０は、肌接触面１３および鼻充て部１４以外の部分であって、右側の凹部１１の周囲を取り囲むように形成されている。左側のパッド２０は、肌接触面１３および鼻充て部１４以外の部分であって、左側の凹部１１の周囲を取り囲むように形成されている。
【００２５】
パッド２０のうちの凹部１１の開口側の面である肌接触面２１の形状は、複数の男女の目元の平均的な形状から女性に対応するように相似的に縮小した形状である。この肌接触面２１の厚さは、１ｍｍ以下が好ましい。また、パッド２０の材料の一例は、目元へのフィット感、着脱の容易さ、洗浄のしやすさ、および、耐久性等を考慮して、シリコンゴムが採用されている。
【００２６】
図５〜図９を参照して、目元用美容装置１の内部構成について説明する。
図５に示すように、ハウジング１０には、パッド２０を取り付けるための複数の取付孔１５（図６参照）が形成されている。そして、パッド２０のうちのハウジング１０に取り付けられる側の面である取付面２２には、取付孔１５に嵌め込まれる複数の突起２３が形成されている。この突起２３の形状は、取付孔１５の内周形状よりも相似的に大きい形状である。パッド２０は、突起２３が取付孔１５に嵌め込まれることによりハウジング１０に取り付けられる。このため、パッド２０は、ハウジング１０に着脱できるように支持される。また、図８に示すように、パッド２０の肌接触面２１の厚さは、弾性力を保持するためにパッド２０の取付面２２の厚さよりも薄い構成である。取付面２２の厚さの一例は、２ｍｍである。
【００２７】
図６に示すように、ハウジング１０の長手方向の両側には、ゴムバンドである装着バンド１００を取り付けるためのフック１６が形成されている。このフック１６は、外部に露出しないようにカバー３０により覆われている。また、装着バンド１００は、フック１６に着脱できるように支持され、必要に応じてフック１６に取り付けられる。なお、図６は、パッド２０および液体保持部材４０が省略されている。
【００２８】
図５に示すように、ハウジング１０に内部には、ヒーターブロック５０が配置されている。ヒーターブロック５０は、熱を出力するヒーター５１、ヒーター５１の熱を伝導する伝熱板５２、ヒーター５１の熱を遮るヒーターカバー５６を含む。
【００２９】
図８に示すように、ヒーター５１は、シート状であり、凹部１１のうちの下方の面の裏側に配置されている。伝熱板５２は、湾曲した形状であり、ヒーター５１の下方および肌接触面１３と接触するように配置されている。伝熱板５２は、ヒーター５１の熱を伝導できるようにアルミ板により形成されている。ヒーター５１は、凹部１１の側面のうちの下方の面を介して液体保持部材４０を温め、伝熱板５２を介して肌接触面１３を温める。
【００３０】
図５に示すように、ハウジング１０の内部には、制御部である制御基板６０が配置されている。制御基板６０は、制御回路およびＬＥＤ（Light Emitting Diode）が搭載されている。この制御回路は、ヒーター５１の温度が予め設定された温度を超えないようにヒーター５１に供給する電力を制御している。また、このＬＥＤは、スイッチ７０の操作に基づいて点灯し、スイッチ７０の操作内容をハウジング１０の上面に表示する。
【００３１】
制御基板６０は、電池６２を収容するケース６１が設けられている。このケース６１には、外部からの電力により充電される電池６２が保持される。制御基板６０およびヒーター５１は、この電池６２を電源として動作する。また、図７および図９に示すように、電池６２およびケース６１は、ハウジング１０のカバー３０側であって、ハウジング１０の長手方向に沿って配置される。
【００３２】
図９および図１０に示すように、ＡＣアダプターのコネクター８０（図３参照）を接続するための電源コネクター１８が、水が入り込みにくいようにハウジング１０の下方に形成されている。コネクター８０が電源コネクター１８に接続されるとき、電池６２が充電される。
【００３３】
図１１を参照して、液体保持部材４０の構成について説明する。
液体保持部材４０は、耐熱性および耐スチーム性を備えた合成樹脂により形成されている。この合成樹脂は、例えば、ポリカーボネートまたはポリブチレンテレフタレートである。液体保持部材４０は、右側の凹部１１の側面のうちの下方の面に配置される右側の給水プレート４１、左側の凹部１１の側面のうちの下方の面に配置される左側の給水プレート４１、および、各給水プレート４１を互いに連結している連結部４３を含む。各給水プレート４１は、液体である水を保持できるように形成されている。また、連結部４３は、山なりに形成され、ハウジング１０に取り付けるためのフック４４、および、ヒーター５１の熱が伝達されにくい把持部４５を含む。
【００３４】
給水プレート４１は、表面張力により水を保持するための複数の貫通孔４２が形成されている。貫通孔４２は、給水プレート４１の厚さ方向に貫通している。貫通孔４２の径は、給水プレート４１の上面４１Ａ側の径が凹部１１のうちの下方の面と接触する下面４１Ｂ（図８参照）側の径と同じ、または、それ以上の大きさである。また、貫通孔４２の径は、表面張力を十分に確保するために、０．５ｍｍ〜１．５ｍｍの範囲内が好ましい。
【００３５】
図１２および図１３を参照して、ヒーターブロック５０の構成について説明する。
図１２に示すように、ヒーター５１は、伝熱板５２の上面と密着するように配置されている。伝熱板５２は、ヒーター５１および肌接触面１３（図８参照）と接触するように形成されている。伝熱板５２は、ヒーター５１と接触している面から肌接触面１３の裏面と接触するように下方に向かって伸びている３枚の分割平板５３Ａ，５３Ｂが形成されている。
【００３６】
分割平板５３Ａ，５３Ｂは、中央に分割平板５３Ａが配置され、その両側に分割平板５３Ｂがそれぞれ配置されている。また、肌接触面１３が凹部１１の開口側に向かって凸となる曲面であるため、分割平板５３Ａ，５３Ｂのそれぞれが肌接触面１３の裏面と密着するように肌接触面１３に向かって凸となる曲面を形成するように配置されている。なお、分割平板５３Ａの短手方向の長さは、分割平板５３Ｂの短手方向の長さよりも短い。
【００３７】
伝熱板５２は、ヒーター５１と接触している面と分割平板５３Ａ，５３Ｂとの連結部分の幅が小さくなるように形成されている。この連結部分の幅を調整することにより、給水プレート４１を温めるためのヒーター５１の熱の伝達速度、および、肌接触面２１を温めるためのヒーター５１の熱の伝達速度を調整することができる。このため、この連結部分の幅を小さくすることにより、ヒーター５１の熱が肌接触面２１に伝達される速度が速くなり、肌接触面２１を速やかに温めることができる。
【００３８】
伝熱板５２の厚さは、ヒーター５１の熱の伝達速度等の観点から、０．２ｍｍ〜２．０ｍｍの範囲内が好ましい。また、伝熱板５２の厚さの一例は、０．３ｍｍである。なお、伝熱板５２の厚さが不足するとき、熱容量が小さくなることにより温度が保持されにくくなり、伝熱板５２の厚さが過大となるとき、ヒーター５１の熱が分割平板５３Ａ，５３Ｂに伝達されにくくなる。
【００３９】
ヒーターカバー５６は、制御基板６０（図５参照）に熱を与えにくくするために、制御基板６０側から伝熱板５２を覆うように配置されている。ヒーターカバー５６は、伝熱板５２に向かって突出する複数の突起５６Ａが形成されている。
【００４０】
複数の突起５６Ａは、伝熱板５２の分割平板５３Ａ，５３Ｂを肌接触面２１に向かって押す役割を持つ。このため、伝熱板５２が肌接触面２１に密着しやすい状態が形成される。また、この突起５６Ａの先端は、伝熱板５２を十分に押すための強度を確保しつつ、接触面積を小さくして伝熱板５２から熱を受けにくくするために半球状に形成されている。
【００４１】
ヒーターカバー５６は、ハウジング１０に形成されているリブ１７（図５参照）に嵌め合わせられることによりハウジング１０に固定される。この場合、ハウジング１０およびヒーターカバー５６によりヒーター５１と伝熱板５２とを収容する空間Ｈが形成される。また、この空間Ｈは密閉された空間であるため、肌接触面１３の裏面との密着性を確保するために分割平板５３Ａ，５３Ｂに塗布される熱伝導性に優れたグリスが空間Ｈの外部に漏れにくい。
【００４２】
図１３に示すように、ヒーター５１の温度を間接的に検出する温度センサー５７が伝熱板５２に取り付けられている。温度センサー５７は、伝熱板５２の温度の情報を含む信号を制御基板６０の制御回路に出力する。制御回路は、この信号に基づいてヒーター５１に供給する電力を制御している。
【００４３】
温度センサー５７は、分割平板５３Ａのうちの肌接触面１３と接触する面とは反対の面に取り付けられる。分割平板５３Ａには、温度センサー５７の位置を決めるための凸部５４、および、温度センサー５７を固定するための爪５５が形成されている。このため、温度センサー５７は、凸部５４により位置決めされ、爪５５を折り曲げることにより分割平板５３Ａに固定される。また、温度センサー５７が分割平板５３Ａの一部である凸部５４および爪５５により固定されているため、別の部材により固定される構成よりもヒーター５１の熱が逃げにくい。
【００４４】
そして、分割平板５３Ａ，５３Ｂが肌接触面１３に向かって凸となる曲面を形成するように配置されているため、中央に配置されている分割平板５３Ａが最も肌接触面１３と接触しやすい状態が形成されている。このため、分割平板５３Ａがヒーター５１の熱を最も肌接触面１３に伝達しやすい。このため、温度センサー５７が分割平板５３Ａの温度を検出することにより、肌接触面１３の温度を調整しやすくなる。また、温度センサー５７は、使用者の肌を直接温める肌接触面１３の温度を基準とすることにより、安全性を確保している。
【００４５】
図５および図１４を参照して、ヒーター５１の温度制御について説明する。
制御基板６０の制御回路は、スイッチ７０の操作に基づいてヒーター５１に供給する電力を制御する。制御回路は、ヒーター５１の目標温度である第１の温度が最も高い高温モード、第１の温度が高温モードよりも低い中温モード、および、第１の温度が中温モードよりも低い低温モードを記憶している。制御回路は、スイッチ７０の操作により選択されるモードに基づいてヒーター５１を制御する。
【００４６】
高温モードの第１の温度の一例は、使用者と接触していないときの肌接触面１３の温度が４５℃を形成するように設定されている。この場合、使用者と接触するときの肌接触面１３の温度は４２℃を形成する。中温モードの第１の温度の一例は、使用者と接触していないときの肌接触面１３の温度が４３．５℃を形成するように設定されている。この場合、使用者と接触するときの肌接触面１３の温度は４０℃を形成する。低温モードの第１の温度の一例は、使用者と接触していないときの肌接触面１３の温度が４１℃を形成するように設定されている。この場合、使用者と接触するときの肌接触面１３の温度は３８℃を形成する。
【００４７】
各モードは、スイッチ７０を操作する回数に応じて切り替えられる。例えば、スイッチ７０を１回押すことにより低温モードが実行され、２回押すことにより中温モードが実行され、３回押すことにより高温モードが実行される。そして、スイッチ７０の操作により選択されたモードに基づいて制御基板６０のＬＥＤが点灯し、実行するモードを使用者に認識させる。
【００４８】
図１４に示すように、高温モードは、第１の温度に向かってヒーター５１の温度を一挙に上昇させる。中温モードは、第１の温度よりも低い温度である第２の温度までヒーター５１の温度を上昇させ、この第２の温度を所定時間にわたり保持した後に、ヒーター５１の温度を第１の温度まで上昇させる。低温モードは、第２の温度までヒーター５１の温度を上昇させ、この第２の温度を所定時間にわたり保持した後に、ヒーター５１の温度を第１の温度まで上昇させる。この第２の温度は、一例として、第１の温度よりも１℃〜４℃低い温度である。
【００４９】
図１、図８、および、図１１を参照して、目元用美容装置１の作用について説明する。
目元用美容装置１は、顔を正面に向けて、または、顔を仰向けにして使用される。使用者は、凹部１１の開口を目元に配置し、装着バンド１００を後頭部にかけ、パッド２０を目元にフィットさせることにより目元を覆うように装着する。目元用美容装置１は、パッド２０が目元を支持し、鼻充て部１４が鼻を両側から挟み込むように支持し、装着バンド１００がこの目元用美容装置１を使用者に押し付けることにより使用者の目元からずれにくいように保持される。また、使用者は、装着バンド１００をハウジング１０から取り外して装着することもできる。この場合、使用者は、顔を仰向けにして使用することが好ましい。
【００５０】
使用者がスイッチ７０を操作することにより制御回路がヒーター５１に電力の供給を開始し、ヒーター５１の温度が上昇する。このため、予め水を供給することにより貫通孔４２に水が保持された給水プレート４１、および、使用者の眼の下方の肌と接触し得る肌接触面１３が温められる。
【００５１】
ヒーター５１が給水プレート４１を温めることにより、給水プレート４１に保持されている水から温かいミストが発生する。そして、この温かいミストが凹部１１の空間Ｒ，Ｌを浮遊することにより使用者の目元に供給される。なお、この温かいミストの温度は、３５℃〜４５℃の範囲を取るようにヒーター５１の温度を制御することが好ましい。また、この温かいミストの量は、全体として１０ｍｇ／分〜１００ｍｇ／分の範囲を取るようにヒーター５１の温度を制御することが好ましい。
【００５２】
目元用美容装置１は、低温やけどの回避、および、節電の目的から、使用者がスイッチ７０を操作することにより制御回路がヒーター５１に電力の供給を開始してから所定時間が経過したとき、制御回路が電力の供給を終了する。この所定時間の一例は、１２分である。なお、給水プレート４１に保持される水の量は、スイッチ７０の操作に基づいて高温モードが選択される場合において、１回の使用で必要とされる温かいミストを発生させ得る量である。
【００５３】
目元用美容装置１によれば、以下の効果が得られる。
（１）目元用美容装置１によれば、凹部１１の側面のうちの下方の面に液体保持部材４０が取り付けられる。このため、液体保持部材４０が凹部１１の底面に取り付けられる構成よりも、液体保持部材４０と使用者の目元との距離が近い。このため、液体保持部材４０が保持している水から発生する温かいミストにより使用者が温かさを感じやすい。すなわち、温かいミストが速やかに使用者の目元に供給される。このため、目元を保湿する効果および目元を温める効果が高められる。また、温かいミストが使用者の目元に供給されることにより、乾燥の抑制、キメの細かさの向上、および、血行促進による疲労回復等の効果が得られる。
【００５４】
（２）使用者が顔を正面に向けて目元用美容装置１を使用する場合、発生した温かいミストが上昇しやすいことにより使用者の目元に温かいミストが供給されやすい。このため、温かいミストが一層速やかに使用者の目元に供給される。このため、目元を保湿する効果および目元を温める効果が一層高められる。
【００５５】
（３）目元用美容装置１によれば、ヒーター５１により温められる肌接触面１３がハウジング１０のうちの凹部１１の下部に形成されている。この肌接触面１３は、使用者の眼の下方の肌と接触する。このため、肌接触面１３により眼の下方の肌が温められる。このため、使用者の眼の疲労がとれやすくなる。
【００５６】
（４）目元用美容装置１によれば、ヒーター５１が凹部１１のうちの下方の面の裏側に配置されている。このため、液体保持部材４０とヒーター５１との距離が近い。このため、ヒーター５１の熱が液体保持部材４０に伝達されやすくなる。このため、液体保持部材４０が保持している水から温かいミストが発生しやすくなる。このため、目元を保湿する効果および目元を温める効果が一層高められる。
【００５７】
また、目元用美容装置１によれば、液体保持部材４０と肌接触面１３との距離が近い。このため、ヒーター５１の熱が液体保持部材４０および肌接触面１３のそれぞれに伝達されやすくなる。このため、ヒーター５１の熱の伝達効率が向上する。
【００５８】
（５）目元用美容装置１によれば、右側の凹部１１と左側の凹部１１とを区画する区画壁１２がハウジング１０に形成されている。このため、区画壁１２が形成されていない構成の凹部１１の空間の容積と比較して、右側の凹部１１の空間Ｒと左側の凹部１１の空間Ｌとを合わせた容積が小さくなる。このため、温かいミストが速やかに凹部１１の空間Ｒ，Ｌに充満しやすくなる。このため、目元の保湿効果および目元を温める効果が一層高められる。
【００５９】
（６）目元用美容装置１によれば、スイッチ７０の操作に基づいて高温モードが選択されるとき、第１の温度に向かってヒーター５１の温度が一挙に上昇する。このため、肌接触面１３が速やかに温まりやすく、温かいミストが速やかに発生しやすい。このため、使用者が速やかに温かさを感じることができる。
【００６０】
（７）目元用美容装置１によれば、スイッチ７０の操作に基づいて中温モードまたは低温モードが選択されるとき、ヒーター５１の温度が第２の温度まで上昇し、この第２の温度を所定時間にわたり保持した後に、ヒーター５１の温度が第１の温度まで上昇する。この中温モードおよび低温モードによれば、第２の温度に所定時間保持されることにより、使用者が第２の温度に慣れる。このため、第２の温度に保持された後に第１の温度まで上昇することにより、使用者が第１の温度に温かさを感じやすい。このため、第１の温度に向かって一挙に上昇する場合と比較して、使用者が温かさを感じやすくなる。
【００６１】
（８）目元用美容装置１によれば、パッド２０を目元にフィットさせて使用者の目元を覆うように装着される。このため、凹部１１の空間Ｒ，Ｌに隙間が形成されにくい。このため、温かいミストが凹部１１の空間Ｒ，Ｌに充満しやすくなる。
【００６２】
また、目元用美容装置１によれば、鼻充て部１４が使用者の鼻を両側から挟み込むように支持している。このため、凹部１１の空間Ｒ，Ｌに隙間が一層形成されにくい。このため、温かいミストが凹部１１の空間Ｒ，Ｌに一層充満しやすくなる。
【００６３】
（９）目元用美容装置１によれば、分割平板５３Ａ，５３Ｂに塗布されるグリスが空間Ｈの外部に漏れにくい。このため、このグリスから揮発したシリコンが制御回路等に悪影響を及ぼしにくい。
【００６４】
（１０）目元用美容装置１によれば、ヒーターカバー５６に形成されている複数の突起５６Ａが、伝熱板５２の分割平板５３Ａ，５３Ｂを肌接触面２１に向かって押す。このため、分割平板５３Ａ，５３Ｂが肌接触面１３にヒーター５１の熱を伝達しやすい。
【００６５】
（１１）目元用美容装置１によれば、目元にフィットさせるパッド２０の材料がシリコンゴムである。このため、使用者の目元にパッド２０がフィットしやすい。また、パッド２０の肌接触面２１の厚さが１ｍｍ以下であるため、使用者の目元に一層フィットしやすくなる。
【００６６】
（１２）目元用美容装置１によれば、パッド２０をハウジング１０から取り外すことができる。このため、パッド２０の洗浄が容易である。
（１３）目元用美容装置１によれば、液体保持部材４０がハウジング１０から取り外すことができる。このため、液体保持部材４０の洗浄が容易である。
【００６７】
（１４）目元用美容装置１によれば、電池６２がハウジング１０のカバー３０側に配置されている。このため、電池の重量により凹部１１の開口側が上方を向く状態が形成されやすい。このため、パッド２０が変形しにくく、かつ、液体保持部材４０が保持している水が凹部１１からこぼれにくい。
【００６８】
（１５）目元用美容装置１によれば、液体保持部材４０が保持している水から発生する温かいミストが凹部１１の空間Ｒ，Ｌを浮遊することにより使用者の目元に供給される。このため、温かいミストがノズル等により目元に直接供給される構成と比較して、温かいミストの推進力が弱い。このため、温かいミストが目元を徐々に温めることにより、リラックス感が使用者に与えられる。
【００６９】
（変形例）
目元用美容装置が取り得る具体的な形態は、上記実施の形態に例示された形態に限定されない。目元用美容装置は、本発明の目的が達成される範囲において、上記実施の形態とは異なる各種の形態を取り得る。以下に示される上記実施の形態の変形例は、目元用美容装置が取り得る各種の形態の一例である。
【００７０】
・変形例の目元用美容装置１によれば、図１５および図１６に示すように、熱を反射する反射材９０が凹部１１の側面のうちの上方の面に取り付けられている。この凹部１１の側面のうちの上方の面は、凹部１１の開口側から凹部の底面にかけて肌接触面１３側に向かって傾斜している。このため、この反射材９０は、ヒーター５１の熱を使用者の目元に向かって反射させることができるように取り付けられる。また、反射材９０は、熱反射率が高いものが好ましい。反射材９０の一例は、表面の熱反射率が高くなるように形成されたアルミ板である。
【００７１】
ヒーター５１の熱は、液体保持部材４０が取り付けられる凹部１１の側面のうちの下方の面から凹部１１の空間Ｒ，Ｌに伝達され、凹部１１の側面のうちの上方の面に伝達されやすい。このため、凹部１１の側面のうちの上方の面に取り付けられている反射材９０がより多くの熱を反射させることができる。このため、凹部１１の空間Ｒ，Ｌが一層温まりやすい。このため、目元を温める効果が高められる。また、反射材９０によれば、ヒーター５１の熱を使用者の目元に向かって反射させることができるように凹部１１に取り付けられているため、目元を温める効果が一層高められる。なお、反射材９０の取付位置は、任意の選択事項である。例えば、凹部１１の底面に反射材９０が取り付けられてもよい。
【００７２】
・ハウジング１０に右側の凹部１１と左側の凹部１１とを区画する区画壁１２を形成するか否かは、任意の選択事項である。例えば、変形例の目元用美容装置１によれば、ハウジング１０に区画壁１２が形成されていない。
【００７３】
・凹部１１の側面のうちの下方の面の裏側にヒーター５１が配置されるか否かは、任意の選択事項である。
・肌接触面１３がヒーター５１により温められるか否かは、任意の選択事項である。例えば、変形例の肌接触面１３は、別のヒーターにより温められる。
【００７４】
・液体保持部材４０が凹部１１の側面のうちの下方の面に取り付けられるか否かは、任意の選択事項である。例えば、変形例の液体保持部材４０は、凹部１１の側面のうちの左右の面の一方または両方に取り付けられる。
【００７５】
・伝熱板５２の材質がアルミニウムであるか否かは、任意の選択事項である。例えば、変形例の伝熱板５２の材質は、銅、金、銀、白金、ベリリウム、タングステン、マグネシウム、モリブデン、鉄、ニッケル、パラジウム、鉛等の熱伝導に優れた金属、アルミニウム合金、ステンレス鋼、マグネシウム合金、合金鋼、ニッケル合金、銅合金、鉄合金等の合金のうちのいずれかである。
【００７６】
・伝熱板５２のうちのヒーター５１と接触している面から肌接触面１３と接触するように下方に向かって伸びるように形成されている分割平板の枚数は、任意の選択事項である。例えば、変形例の分割平板の枚数は、５枚である。
【００７７】
・温度センサー５７が分割平板５３Ａの一部である凸部５４および爪５５により固定されるか否かは任意の選択事項である。例えば、分割平板５３Ａには、凸部５４および爪５５が形成されていない。この場合、温度センサー５７は、一例として、ヒーターカバー５６に形成されている突起５６Ａに押されることにより固定される。また、温度センサー５７は、別の一例として、ヒーターカバー５６と温度センサー５７との間にゴムまたはスポンジ等の弾性体を挟み込むことにより固定される。
【００７８】
・変形例の目元用美容装置１によれば、外部からの電力により充電される電池６２に代えて、乾電池あるいは商用電源を電源として利用する。
・ヒーターカバー５６に形成されている突起５６Ａの先端が半球状であるか否かは、任意の選択事項である。例えば、変形例の突起５６Ａの先端は、多角錐状である。なお、突起５６Ａの先端と伝熱板５２との間に断熱材を取り付けてもよい。
【００７９】
・高温モードがヒーター５１の温度を第１の温度に向かって一挙に上昇させるか否かは、任意の選択事項である。例えば、変形例の高温モードは、ヒーター５１の温度を第２の温度まで上昇させ、この第２の温度を所定時間にわたり保持した後に、ヒーター５１の温度を第１の温度まで上昇させる。
【００８０】
・中温モードおよび低温モードが第２の温度を所定時間にわたり保持するか否かは、任意の選択事項である。例えば、変形例の中温モードおよび低温モードは、第１の温度に向かってヒーター５１の温度を一挙に上昇させる。
【００８１】
（課題を解決するための手段に関する付記）
〔付記１〕凹部が形成されるハウジングと、前記ハウジングに取り付けられるヒーターと、液体を保持できるように形成され、前記ヒーターにより温められる液体保持部材と、前記ヒーターの温度を調整する制御部とを備え、前記制御部は、前記ヒーターの目標温度である第１の温度よりも低い温度である第２の温度まで前記ヒーターの温度を上昇させ、前記第２の温度を所定時間にわたり保持した後に、前記ヒーターの温度を前記第１の温度まで上昇させる目元用美容装置。
【００８２】
〔付記２〕前記制御部は、前記ヒーターの温度を前記第２の温度に保持することなく前記第１の温度まで上昇させるモードを備える前記付記１に記載の目元用美容装置。
〔付記３〕前記モードは、前記制御部が記憶する複数のモードのうちの前記第１の温度が一番高いモードである前記付記２に記載の目元用美容装置。
【００８３】
〔付記４〕前記液体保持部材が前記凹部の側面のうちの下方の面に取り付けられる前記付記１〜３のいずれか一項に記載の目元用美容装置。
【産業上の利用可能性】
【００８４】
本目元用美容装置は、効率的に目元の保湿等ができ、例えば、エステサロンまたは美容院等において使用される業務用の美容装置等に適用できる。
【符号の説明】
【００８５】
１…目元用美容装置
１０…ハウジング
１１…凹部
１２…区画壁
１３…肌接触面
４０…液体保持部材
５１…ヒーター
９０…反射材
【図１】
2015216974.tif 000003
【図２】
2015216974.tif 000004
【図３】
2015216974.tif 000005
【図４】
2015216974.tif 000006
【図５】
2015216974.tif 000007
【図６】
2015216974.tif 000008
【図７】
2015216974.tif 000009
【図８】
2015216974.tif 000010
【図９】
2015216974.tif 000011
【図１０】
2015216974.tif 000012
【図１１】
2015216974.tif 000013
【図１２】
2015216974.tif 000014
【図１３】
2015216974.tif 000015
【図１４】
2015216974.tif 000016
【図１５】
2015216974.tif 000017
【図１６】
2015216974.tif 000018